(57)【要約】      （修正有）【課題】互いに貼り合せた複数層の液晶保護フィルムを有する複数層の液晶保護フィルム構造を提供する。【解決手段】各液晶保護フィルム１は光学フィルム１１と光学フィルムの裏面に設けた接着層１２とを含む。各液晶保護フィルムは、前記接着層の粘度が最上層から下層へ行くほど順次増加するように配置され、若しくは粘度が同一である。各層の液晶保護フィルムは、上層の液晶保護フィルムの裏面の前記接着層は、隣接した下層の液晶保護フィルムの表面に貼設するように配置される。【選択図】図１Ａ
0003165112.tif 000002
【実用新案登録請求の範囲】
【請求項１】
互いに貼り合せた複数層の液晶保護フィルムを有し、各液晶保護フィルムは、光学フィルムと、前記光学フィルムの裏面に設けた接着層とを含み、
各液晶保護フィルムは、前記複数の接着層の粘度が最上層から下層へ行くほど順次増加するように配置され、若しくは粘度が同一であって、
各層の液晶保護フィルムは、上層の液晶保護フィルムの裏面の前記接着層は、隣接した下層の液晶保護フィルムの表面に貼設するように配置されることを特徴とする、複数層の液晶保護フィルム構造。
【請求項２】
前記複数の光学フィルムは、プラスチックフィルム、キズ防止フィルム、防幻フィルム、反射防止フィルム、指紋防止フィルム、３Ｄ立体フィルム、覗き見防止フィルムまたは鏡面反射フィルムから選択された少なくとも一種以上の組合せであることを特徴とする請求項１に記載の複数層の液晶保護フィルム構造。
【請求項３】
さらに、離型フィルムと、保護フィルムと、前記保護フィルム裏面に塗布された接着層を含み、前記離型フィルムは前記複数層の液晶保護フィルム構造の最下層の液晶保護フィルムの前記接着層に貼設され、前記保護フィルムの接着層は前記複数層の液晶保護フィルム構造の最上層の液晶保護フィルムに貼設されることを特徴とする請求項１に記載の複数層の液晶保護フィルム構造。
【請求項４】
最下層の液晶保護フィルムの前記接着層は、ノートパソコン、カメラ、テレビ、電子書籍、携帯電話、計算機、腕時計、電話、冷蔵庫、携帯プレーヤー、携帯ゲーム機、工作機械、個人用の携帯情報端末（ＰＤＡ）、カーナビゲーション機又はディスプレイから選択された電子設備のディスプレイに貼設されることを特徴とする請求項１に記載の複数層の液晶保護フィルム構造。
【請求項５】
各液晶保護フィルムの周縁部には、インデックスプレートが延出して形成され、各インデックスプレートは対向しない位置に形成されることを特徴とする請求項１に記載の複数層の液晶保護フィルム構造。
【請求項６】
さらに、複数層の液晶保護フィルム構造には、各層毎に少なくとも一つのガイドプレート５が各層の液晶保護フィルムの表面に貼設されることを特徴とする請求項１に記載の複数層の液晶保護フィルム構造。
【考案の詳細な説明】
【技術分野】
【０００１】
本考案は液晶保護フィルムに関し、より詳しくはディスプレイ表面に貼付する複数層の液晶保護フィルム構造に関する。
【背景技術】
【０００２】
従来から、液晶保護フィルムは携帯電話、カメラ或いはポータブルマルチメディアプレーヤ等の電子製品に幅広く使用されていることが知られている。
【０００３】
既存の液晶保護フィルムはプラスチック類の材質から構成された単層構造のみを備えたもので、透光性と柔軟性を有し、液晶保護フィルムの裏面は接着フィルムがあって、その接着フィルムは離型フィルムと貼り合わせる。液晶保護フィルムを使用しようとする場合、先ず離型フィルムを液晶保護フィルムから剥離させて、液晶保護フィルムの接着フィルムをディスプレイに貼付することで、ディスプレイを保護する効果を果たしている。
【考案の概要】
【考案が解決しようとする課題】
【０００４】
しかしながら、前述した従来の技術では、液晶保護フィルムが損傷した場合、改めて新しい液晶保護フィルムを貼る必要があることから、ユーザーにとって交替が面倒であり、しかも多くの廃棄された離型フィルムが生じるといった問題があった。
【０００５】
本考案は、このような従来の問題に鑑みてなされたものである。上記課題の解決のため、本考案は、ユーザーが一層便利で効果的にディスプレイを保護するための複数層の液晶保護フィルム構造を提供することを目的とする。
【課題を解決するための手段】
【０００６】
上述した課題を解決する目的を達成するために、本考案に係る複数層の液晶保護フィルム構造は、互いに貼り合せた複数層の液晶保護フィルムを有し、各液晶保護フィルムは、光学フィルムと前記光学フィルムの裏面に設けた接着層とを含み、前記複数の接着層は最上層の接着層が低粘度で、最下層の接着層が高粘度に変えたように粘度を順次増加させるか、若しくは同一である。各層の液晶保護フィルムの間には、上の液晶保護フィルムの裏面の前記接着層が下の液晶保護フィルムの表面に貼設することを特徴とする。
【考案の効果】
【０００７】
本考案によれば、下記のような長所がある。
（１）本考案に係る液晶保護フィルムの表層が損傷した場合でも、損傷した液晶保護フィルムを剥離すれば、引き続き使用してディスプレイを保護することができる。よって、使用上に便利であるばかりでなく、このような手段によると、１枚だけの離型フィルムを使用して済み、廃棄物を減少することができる。
（２）保護効果が良好である。本考案は層数が多いことから、キズの防止及び衝撃防止の好ましい効果を有る。
（３）分離が容易である。本考案に係る複数層の液晶保護フィルム構造で形成されたインデックスプレートは、ユーザーが除去しようとする液晶保護フィルムを剥離するのに便利であり、しかも各層の液晶保護フィルムの周縁に下記のようにガイドプレートが設けられていることで、複数層の液晶保護フィルムのいずれか一つを選択的に除去することができる。
【図面の簡単な説明】
【０００８】
【図１Ａ】本考案に係る光学フィルムの概略図である。
【図１Ｂ】本考案に係る光学フィルムがプラスチックフィルムである場合の概略図である。
【図１Ｃ】本考案に係る光学フィルムがキズ防止フィルムである場合の概略図である。
【図１Ｄ】本考案に係る光学フィルムが防幻フィルムである場合の概略図である。
【図１Ｅ】本考案に係る光学フィルムが反射防止フィルムである場合の概略図である。
【図１Ｆ】本考案に係る光学フィルムが指紋防止フィルムである場合の概略図である。
【図１Ｇ】本考案に係る光学フィルムが覗き見防止フィルムである場合の概略図である。
【図１Ｈ】本考案に係る光学フィルムが鏡面反射フィルムである場合の概略図である。
【図１Ｉ】本考案に係る光学フィルムが３Ｄ立体フィルムである場合の概略図である。
【図１Ｊ】本考案に係る多層膜液晶保護フィルム結構の概略図である。
【図２】本考案に係る複数層の液晶保護フィルム構造がノートパソコンに適用された場合の概略図である。
【図３】本考案に係る複数層の液晶保護フィルム構造が携帯電話に適用された場合の概略図である。
【図４】本考案に係る第２実施形態の概略図である。
【図４Ａ】本考案に係る第２実施形態の一部拡大図である。
【図５】本考案に係る第３実施形態の概略図である。
【図６】本考案に係る第３実施形態における別の使用方法の概略図である。
【考案を実施するための形態】
【０００９】
以下、本考案を実施するための形態について、図面に基づいて詳細に説明する。なお、本考案は、以下に説明する実施形態に限定されるものではない。
［第１実施形態］
まず、本考案の複数層の液晶保護フィルム構造の第１実施形態について説明する。
【００１０】
図１Ａから図３は、本考案に係る互いに貼り合わせた複数層の液晶保護フィルム１を備えた複数層の液晶保護フィルム構造であり、各液晶保護フィルム１は光学フィルム１１及び光学フィルム１１の裏面に設けられた接着層１２を含む。
【００１１】
複数の光学フィルム１１は何れもプラスチックフィルム１１１でよい（第１Ｂ図に参照）。図１Ｃは、複数の光学フィルム１１が何れもキズ防止フィルム１１２である場合を示す。キズ防止フィルム１１２はプラスチックフィルム１１１に対して表面硬化処理を施して形成され、硬度を強化してキズ防止能力を高めたものである。
【００１２】
図１Ｄは、複数の光学フィルム１１が何れも防幻フィルム１１３である場合を示す。防幻フィルム１２はプラスチックフィルム１１１に対してサンドブラストのような霧化処理を施して光線を分散させてなるもので、ユーザーが光反射を感じないようにする。図１Ｅは、複数の光学フィルム１１が何れも反射防止フィルム１１４である場合を示す。反射防止フィルム１１４を配置することで、液晶保護フィルム１の光反射効果を低減する効果を果たすことができる。
【００１３】
図１Ｆは、複数の光学フィルム１１が何れも指紋防止フィルム１１５である場合を示す。指紋防止フィルム１１５を配置することで、指紋や油汚れを液晶保護フィルム１の表面に残さずに済む。図１Ｇは、複数の光学フィルム１１が何れも覗き見防止フィルム１１６である場合を示す。覗き見防止フィルム１１６は主としてマイクロルーバー光技術及び精密な貼り合せ技術により光の反射を制御し、横からディスプレイの内容を見ようとしても、複数層の液晶保護フィルム構造の両端に対して所定の角度を超えると、真っ黒な画面しか見えない。
【００１４】
図１Ｈは、複数の光学フィルム１１が何れも鏡面反射フィルム１１７である場合を示す。鏡面反射フィルム１１７は集光でハイライトを表示する反射光技術の原理を利用して製造する。図１Ｉは、複数の光学フィルム１１が何れも３Ｄ立体フィルム１１８である場合を示す。３Ｄ立体フィルム１１８は光学的な樹脂材料を採用して、特殊工法により一体成型したもので、３Ｄ立体フィルム１１８の外見は３Ｄ曲面の凸体を持つ。
【００１５】
また、複数の光学フィルム１１は、プラスチックフィルム１１１、キズ防止フィルム１１２、防幻フィルム１１３、反射防止フィルム１１４、指紋防止フィルム１１５、覗き見防止フィルム１１６、鏡面反射フィルム１１７及び３Ｄ立体フィルム１１８の何れか一つ以上の組合せであってもよく、図１Ｊではそのうちの１つの組合せを例示している。
【００１６】
接着層１２は光学フィルム１１の裏面に設け、接着層１２は光学フィルム１１の裏面と緊密に結合させて、接着層１２を人手で光学フィルム１１から剥がすことが困難であるようにした。また、複数層の液晶保護フィルム構造のうちの何れか２層の液晶保護フィルム１は、液晶保護フィルム１の裏面における接着層１２は、隣接している液晶保護フィルム１表面に貼設するように積層される。上層の液晶保護フィルム１を除去しようとする場合、人手で剥がすと液晶保護フィルム１の接着層１２を下層の液晶保護フィルム１の表面から分離することができる。
【００１７】
接着層１２の粘度は最上層の液晶保護フィルム１の接着層１２の粘度が最も弱く、下へ行くほど液晶保護フィルム１の接着層１２の粘度は強くなり、最下層の液晶保護フィルム１の接着層１２の粘度が最強であるように配置されてもよく、または、複数の接着層１２の粘度は全て同じにしてもよい。これにより、最上層の液晶保護フィルム１を除去すると、次の下の層の液晶保護フィルム１も一緒に除去されることはなく、ユーザーは便利に使用することができる。
【００１８】
また、接着層１２は静電気により吸着する接着層でもよく、若しくは、接着式の接着層でもよい。さらに、本考案の液晶保護フィルム１は何度も剥がしたり貼ったりしても接着剤が残らない特性がある。
【００１９】
複数層の液晶保護フィルム構造にはさらに、複数層の液晶保護フィルム構造の最下層の液晶保護フィルム１の接着層１２に貼設した離型フィルム２が備える。また、複数層の液晶保護フィルム構造はさらに、保護フィルム６及び保護フィルム裏面に塗布された接着層６１を有し、接着層６１は複数層の液晶保護フィルム構造の最上層の液晶保護フィルム１の表面に貼設する。このようにすることにより、複数層の液晶保護フィルム構造を運搬する際、保護フィルム６によって液晶保護フィルム１が傷つくのを防止することができる。
【００２０】
複数層の液晶保護フィルム構造を使用しようとする場合、先ず離型フィルム２を剥離して、複数層の液晶保護フィルム構造の最下層の液晶保護フィルム１の接着層１２を電子設備３のディスプレイに貼設すればよい。この際、電子設備３のディスプレイと複数層の液晶保護フィルム構造の間に気泡が発生する場合（図省略）、複数層の液晶保護フィルム構造における何度も剥がしたり貼ったりする特性を利用して、複数層の液晶保護フィルム構造と電子設備３のディスプレイの間での気泡が消滅するまで何度も剥がしたり貼ったりする動作を行う。そして最終的に保護フィルム６を剥離すればよい。
【００２１】
複数層の液晶保護フィルム構造を適用する電子設備３は、ノートパソコン３１（図２）、携帯電話３２（図３）、カメラ、テレビ、電子書籍、計算機、腕時計、電話、冷蔵庫、携帯プレーヤー、携帯ゲーム機、工作機械、個人用の携帯情報端末（ＰＤＡ）、カーナビゲーション機又はディスプレイ等のディスプレイを備えた装置（図省略）でよい。また、複数層の液晶保護フィルム構造の層の数量はニーズに応じて設計製造することができ、さらに複数層の液晶保護フィルム構造の厚みは一定のサイズに制御することができ、複数層の液晶保護フィルム構造が電子設備３のディスプレイに貼付されても、ディスプレイには著しい高低差が生じない。このほか、複数層の液晶保護フィルム構造がタッチディスプレイ（図省略）に貼付されて、ユーザーが複数層の液晶保護フィルム構造を隔てて操作を行って、タッチディスプレイを保護することができる。
［第２実施形態］
次は、本考案に係る複数層の液晶保護フィルム構造の第２実施形態について説明する。
【００２２】
図４と図４Ａは本考案の第２実施形態で、本実施形態と第１実施形態との主な相違点は、複数層の液晶保護フィルム構造における各層の液晶保護フィルム１の縁部には、インデックスプレート４が延出して形成することである。前記各インデックスプレート４は互いに対向しない位置に形成されて、ユーザーはインデックスプレート４を利用して除去しようとする液晶保護フィルム１を剥離することができる。
［第３実施形態］
次は、本考案の複数層の液晶保護フィルム構造の第３実施形態について説明する。
【００２３】
図５と図６は本考案の第３実施形態で、本実施形態と第１実施形態との主な相違点は、複数層の液晶保護フィルム構造には、各層毎に少なくとも一つのガイドプレート５を設置していることである。前記ガイドプレート５は、それぞれ各液晶保護フィルム１の表面の周縁部に配置される。前記第２実施形態と同様に、ガイドプレート５を利用して液晶保護フィルム１を剥離することができる。また、ガイドプレート５は表層の液晶保護フィルム１の剥離をサポートする工具とすることもできる。図６に示すように、ユーザーはどれか一つのガイドプレート５を選んで、このガイドプレート５を配置した液晶保護フィルム１を剥離することができる。
【００２４】
以上、本考案の実施形態について説明したが、本考案の技術範囲は上記実施の形態に限定されるものではなく、本考案の趣旨を逸脱しない範囲において、当業者によって様々の変更を加えることが可能である。
【符号の説明】
【００２５】
１  液晶保護フィルム
１１  光学フィルム
１１１  プラスチックフィルム
１１２  キズ防止フィルム
１１３  防幻フィルム
１１４  反射防止フィルム
１１５  指紋防止フィルム
１１６  覗き見防止フィルム
１１７  鏡面反射フィルム
１１８  ３Ｄ立体フィルム
１２  接着層
２  離型フィルム
３  電子設備
３１  ノートパソコン
３２  携帯電話
４  インデックスプレート
５  ガイドプレート
６  保護フィルム
６１  接着層
【図１Ａ】
0003165112.tif 000003
【図１Ｂ】
0003165112.tif 000004
【図１Ｃ】
0003165112.tif 000005
【図１Ｄ】
0003165112.tif 000006
【図１Ｅ】
0003165112.tif 000007
【図１Ｆ】
0003165112.tif 000008
【図１Ｇ】
0003165112.tif 000009
【図１Ｈ】
0003165112.tif 000010
【図１Ｉ】
0003165112.tif 000011
【図１Ｊ】
0003165112.tif 000012
【図２】
0003165112.tif 000013
【図３】
0003165112.tif 000014
【図４】
0003165112.tif 000015
【図４Ａ】
0003165112.tif 000016
【図５】
0003165112.tif 000017
【図６】
0003165112.tif 000018